(57)【要約】【課題】  複数の二次電池を組電池として使用する場合に、より適正に充電する。【解決手段】  各リチウムイオンセル２の充電電圧を監視する電圧計４と、各セル２に設けられ、セル２を個別に放電させるバイパス回路３と、一部のセル２の充電電圧が所定電圧よりも低い状態が所定時間継続した場合に、この一部のセル２以外の全セル２に対してバイパス回路３を動作させるコントローラ６と、を備える。【選択図】  図１
2013115912.tif 000002
【特許請求の範囲】
【請求項１】
二次電池が複数直列に接続された組電池の充電を制御する、組電池の充電制御システムであって、
前記各二次電池の充電電圧を監視する監視手段と、
前記各二次電池に設けられ、前記二次電池を個別に放電させる個別放電手段と、
一部の二次電池の充電電圧が第１の所定電圧よりも低い状態が所定時間継続した場合に、前記一部の二次電池以外の全二次電池に対して前記個別放電手段を動作させる制御手段と、
を備えることを特徴とする組電池の充電制御システム。
【請求項２】
前記制御手段は、前記個別放電手段の動作中に、前記一部の二次電池の充電電圧が前記第１の所定電圧より高い第２の所定電圧以上に達したときに、全二次電池に対する前記個別放電手段の動作を停止させる、ことを特徴とする請求項１に記載の組電池の充電制御システム。
【請求項３】
前記制御手段は、所定時間前記個別放電手段を動作させても、前記一部の二次電池の充電電圧が前記第１の所定電圧より高い第２の所定電圧以上に達しない場合に、警報を出力する、ことを特徴とする請求項１または２のいずれか１項に記載の組電池の充電制御システム。
【請求項４】
前記制御手段は、前記個別放電手段が動作中の二次電池の充電電圧が、第３の所定電圧よりも低くなったときには、当該二次電池に対する前記個別放電手段の動作を停止させる、ことを特徴とする請求項１から３のいずれか１項に記載の組電池の充電制御システム。
【請求項５】
二次電池が複数直列に接続された組電池の充電を制御する、組電池の充電制御方法であって、
前記各二次電池の充電電圧を監視し、
一部の二次電池の充電電圧が第１の所定電圧よりも低い状態が所定時間継続した場合に、前記一部の二次電池以外の全二次電池を個別に放電させる、
ことを特徴とする組電池の充電制御方法。
【請求項６】
前記個別の放電中に、前記一部の二次電池の充電電圧が前記第１の所定電圧より高い第２の所定電圧以上に達したときに、全二次電池に対する前記個別の放電を停止する、ことを特徴とする請求項５に記載の組電池の充電制御方法。
【発明の詳細な説明】
【技術分野】
【０００１】
この発明は、二次電池を複数直列に接続した組電池の充電を制御する、組電池の充電制御システムおよび充電制御方法に関する。
【背景技術】
【０００２】
例えば、リチウムイオン二次電池は、エネルギー密度が高い、自己放電量が少ない、などという利点を有し、自動車用蓄電池や電気・電子機器用蓄電池などとして広く使用されている。また、使用目的に応じた電圧や容量を得るために、単電池であるリチウムイオンセルを複数直列接続して組電池を構成し、使用する場合がある。このようにして組電池として使用する場合、充電時において各リチウムイオンセルの充電状態にバラツキが生じる場合がある。すなわち、一部のリチウムイオンセルの充電電圧が高く過充電状態となり、他の一部のリチウムイオンセルの充電電圧が低く亜充電状態（満充電に至らない状態）となる場合がある。
【０００３】
このため、リチウムイオン二次電池を組電池として使用する場合に、バラツキをなくして各リチウムイオンセルを適正に充電するために、バイパス回路（抵抗）を設けた技術が知られている（例えば、特許文献１参照。）。この技術は、複数のリチウムイオンセルが直列に接続され、各リチウムイオンセルにバイパス回路が設けられている。そして、充電時に、あるリチウムイオンセルの電圧が適正な充電電圧範囲（許容充電電圧範囲）の上限を超えた場合に、このセルに対応するバイパス回路によってこのリチウムイオンセルを放電（バイパス放電）させ、充電電圧を下げることで、電圧が低いリチウムイオンセルの充電を促進する、というものである。
【先行技術文献】
【特許文献】
【０００４】
【特許文献１】特開２００２−０６４９４７号公報
【発明の概要】
【発明が解決しようとする課題】
【０００５】
ところで、本発明者は、上記のようなバイパス回路を備えていても、電圧が低いリチウムイオンセルの充電が促進されない場合があることを確認した。例えば、組電池内に不良なリチウムイオンセルが存在する場合、これを新たなリチウムイオンセルと交換する必要がある。この場合、新たなリチウムイオンセルは、通常安全性を考慮して、放電状態あるいは部分充電状態（満充電でない状態）で工場から出荷され、そのまま組電池に組み込まれ、同一直列内の満充電状態にあるリチウムイオンセルと混在することになる。
【０００６】
しかしながら、その後バイパス放電が動作するが、交換した新たなリチウムイオンセルが適正な充電電圧範囲に達せず、その他のリチウムイオンセルの充電電圧は、適正な充電電圧範囲内で安定している、ということが確認された。すなわち、充電電圧が低いセルが存在していても、許容充電電圧範囲の上限を超えたセルが存在しない場合、つまり充電電圧が低いリチウムイオンセル以外のセルが適正な充電電圧範囲内で安定している場合には、バイパス放電が行われない。あるいは、バイパス放電が行われたとしても、充電電圧が低いセルが適正な充電電圧範囲に達しない場合がある。
【０００７】
この結果、充電電圧が低いセルが適正な充電電圧範囲に達しないものである。そして、このような充電電圧が低いセルが存在すると、直列接続であるため組電池全体としての放電容量が、充電状態が低いセルの放電容量によって制限されるから（当該セルが所定の電圧に達すると組電池全体の放電を終了させるため）、設計通りの所定の放電時間を確保できないおそれが生じる。
【０００８】
そこでこの発明は、複数の二次電池を組電池として使用する場合に、より適正に充電することを可能にする組電池の充電制御システムおよび充電制御方法を提供することを目的とする。
【課題を解決するための手段】
【０００９】
上記目的を達成するために請求項１に記載の発明は、二次電池が複数直列に接続された組電池の充電を制御する、組電池の充電制御システムであって、前記各二次電池の充電電圧を監視する監視手段と、前記各二次電池に設けられ、前記二次電池を個別に放電させる個別放電手段と、一部の二次電池の充電電圧が第１の所定電圧よりも低い状態が所定時間継続した場合に、前記一部の二次電池以外の全二次電池に対して前記個別放電手段を動作させる制御手段と、を備えることを特徴とする。
【００１０】
この発明によれば、監視手段によって、各二次電池の充電電圧が監視され、一部の二次電池の充電電圧が第１の所定電圧よりも低い状態が所定時間継続すると、制御手段によって、この一部の二次電池を除くすべての二次電池に対して、個別放電手段が動作される。すなわち、一部の二次電池を除く多数の二次電池が放電し、これにより、充電電圧が低い二次電池の充電が促進される。
【００１１】
請求項２に記載の発明は、請求項１に記載の充電制御システムにおいて、前記制御手段は、前記個別放電手段の動作中に、前記一部の二次電池の充電電圧が前記第１の所定電圧より高い第２の所定電圧以上に達したときに、全二次電池に対する前記個別放電手段の動作を停止させる、ことを特徴とする。
【００１２】
請求項３に記載の発明は、請求項１または２に記載の充電制御システムにおいて、前記制御手段は、所定時間前記個別放電手段を動作させても、前記一部の二次電池の充電電圧が前記第１の所定電圧より高い第２の所定電圧以上に達しない場合に、警報を出力する、ことを特徴とする。
【００１３】
請求項４に記載の発明は、請求項１から３に記載の充電制御システムにおいて、前記制御手段は、前記個別放電手段が動作中の二次電池の充電電圧が、第３の所定電圧よりも低くなったときには、当該二次電池に対する前記個別放電手段の動作を停止させる、ことを特徴とする。
【００１４】
請求項５に記載の発明は、二次電池が複数直列に接続された組電池の充電を制御する、組電池の充電制御方法であって、前記各二次電池の充電電圧を監視し、一部の二次電池の充電電圧が第１の所定電圧よりも低い状態が所定時間継続した場合に、前記一部の二次電池以外の全二次電池を個別に放電させる、ことを特徴とする。
【００１５】
この発明によれば、各二次電池の充電電圧が監視され、一部の二次電池の充電電圧が第１の所定電圧よりも低い状態が所定時間継続すると、この一部の二次電池を除くすべての二次電池に対して、個別に放電が行われる。すなわち、一部の二次電池を除く多数の二次電池が放電し、これにより、充電電圧が低い二次電池の充電が促進される。
【００１６】
請求項６に記載の発明は、請求項５に記載の充電制御方法において、前記個別の放電中に、前記一部の二次電池の充電電圧が前記第１の所定電圧より高い第２の所定電圧以上に達したときに、全二次電池に対する前記個別の放電を停止する、ことを特徴とする。
【発明の効果】
【００１７】
請求項１、５に記載の発明によれば、一部の二次電池の充電電圧が低い状態（非適正充電状態）が所定時間継続すると、この一部の二次電池を除く多数の二次電池が放電される。すなわち、充電電圧が低い二次電池以外の二次電池の充電電圧が、適正な充電電圧範囲内であっても、これらの二次電池が放電されるため、充電電圧が低い二次電池の充電を促進することが可能となる。
【００１８】
しかも、充電電圧が低い二次電池以外のすべての二次電池が放電されるため、大多数の二次電池が放電し、充電電圧が低い二次電池の充電をより促進することが可能となる。この結果、組電池全体をより適正に充電することが可能となり、組電池全体の放電容量が適正となって、設計通りの所定の放電時間を確保することができる。
【００１９】
また、非適正充電状態が所定時間継続した場合に、その他の二次電池に対する放電が行われる。すなわち、非適正充電状態が一時的に生じた場合には、放電が行われないため、不必要な放電が回避され、充電電圧が適正な二次電池の充電状態を適正に維持することが可能となる。また、非適正充電状態が所定時間継続した時点で放電を行うことで、非適正充電状態が長時間継続することによる二次電池の過充電状態や低充電状態などを回避して、組電池全体を適正かつ早期に充電することが可能となる。
【００２０】
請求項２、６に記載の発明によれば、全二次電池に対する個別放電を停止する条件が、第１の所定電圧よりも高い第２の所定電圧に設定されているため、個別放電の開始と停止を繰り返す頻度を減らすことができ、電圧が低い二次電池の充電促進を確実、十分に行うことができる。
【００２１】
請求項３に記載の発明によれば、低電圧以外の二次電池を所定時間放電させても、充電電圧が低い二次電池の充電電圧が所定電圧以上に達しない場合には、警報が出力されるため、迅速かつ適正な対応が可能となる。すなわち、このような場合には、充電電圧が低い二次電池に内部短絡や接続不良などの異常が存在するおそれがあり、警報が出力されることで、迅速かつ適正な充電停止や交換などが可能となるとともに、他の正常な二次電池に対する不必要な放電などを回避することが可能となる。
【００２２】
請求項４に記載の発明によれば、個別放電中の二次電池の充電電圧が、第３の所定電圧よりも低くなったときには個別放電が停止されるため、二次電池が過放電するのを防止して、組電池全体の充電状態を適正に維持することが可能となる。
【図面の簡単な説明】
【００２３】
【図１】この発明の実施の形態に係るリチウムイオン組電池の充電制御システムを整流装置に適用した状態を示す概略構成図である。
【図２】図１のシステムのコントローラの制御フローを示す図である。
【図３】図２の続きを示す図である。
【発明を実施するための形態】
【００２４】
以下、この発明を図示の実施の形態に基づいて説明する。
【００２５】
図１は、この発明の実施の形態に係るリチウムイオン組電池の充電制御システム（以下、単に「充電制御システム」という）１を直流電源システムに適用した状態を示す概略構成図である。この充電制御システム１は、単電池であるリチウムイオンセル（リチウムイオン二次電池）２が複数直列に接続されたリチウムイオン組電池２０の充電を制御するシステムである。
【００２６】
この充電制御システム１は、主として、各リチウムイオンセル２に設けられたバイパス回路（個別放電手段）３および電圧計（監視手段）４と、単一の主スイッチ５、コントローラ（制御手段）６とを備えている。また、各バイパス回路３と各電圧計４は、それぞれコントローラ６と通信（データ伝送）可能に接続されている。
【００２７】
バイパス回路３は、対応するリチウムイオンセル２への充電電流をバイパスするとともに、このリチウムイオンセル２を放電させて電圧を下げる回路である。具体的には、放電用抵抗３１と放電スイッチ３２とが直列に接続された回路であり、リチウムイオンセル２と並列に接続されている。そして、後述するように、通常の充電時においては、放電スイッチ３２がオフ（開）状態で、コントローラ６からの閉指令を受けて放電スイッチ３２をオンする（閉じる）。これにより、充電電流が放電用抵抗３１側にバイパスされるとともに、負荷としての放電用抵抗３１によってリチウムイオンセル２が放電し、電圧が下がるものである。従って、バイパス回路３・放電スイッチ３２がオンの状態では、放電用抵抗３１では、組電池２０に入力された充電電流の一部が消費される。
【００２８】
電圧計４は、対応するリチウムイオンセル２に並列に接続され、充電中や放電中に限らず常時、リチウムイオンセル２の電圧を計測、監視し、計測結果をリアルタイムにコントローラ６に送信するものである。また、図示していないが、リチウムイオン組電池２０の総電圧や充電電流、放電電流、および各リチウムイオンセル２の温度を測定する測定器をそれぞれ備え、これらの測定器からの測定結果が、リアルタイムにコントローラ６に送信されるようになっている。
【００２９】
主スイッチ５は、リチウムイオン組電池２０への充電電流を制御するスイッチであり、リチウムイオン組電池２０に電力を供給する充電回路に設けられている。すなわち、交流直流変換器１０１とリチウムイオン組電池２０との間（充電回路）に接続され、商用電源１００からの電力が交流直流変換器１０１で直流に変換され、主スイッチ５を介してリチウムイオン組電池２０に供給されるようになっている。この主スイッチ５は、通常時においてはオン（閉）状態となっている。
【００３０】
また、主スイッチ５と並列にバイパスダイオード７が接続されている。このバイパスダイオード７は、リチウムイオン組電池２０からの電流の流れのみを許容する機能を有し、リチウムイオン組電池２０へは電流が流れないようになっている。これにより、リチウムイオン組電池２０からの放電が常時可能で、バイパスダイオード７を介してリチウムイオン組電池２０から負荷設備１０２に電力が供給されるようになっている。ここで、交流直流変換器１０１と負荷設備１０２とは接続され、通常時においては、商用電源１００からの電力が、交流直流変換器１０１で直流に変換されて、負荷設備１０２に供給されるようになっている。
【００３１】
コントローラ６は、各電圧計４からの計測結果に基づいて、各バイパス回路３を制御する装置である。その制御として、主としてフロート充電状態において、一部のリチウムイオンセル２の充電電圧が所定電圧よりも低い状態（非適正充電状態）が所定時間継続した場合に、この一部のリチウムイオンセル２以外の全リチウムイオンセル２に対して、バイパス回路３を動作させる制御を含む。ここで、フロート充電状態とは、組電池２０の総充電電圧が所定の電圧に達し、定圧充電している状態である。また、この実施の形態では、総充電電圧をセル２の数で除算した平均充電電圧ＶＡの±許容誤差電圧（例えば、±２０ｍＶ）を、適正な充電電圧範囲とし、この電圧範囲に各セル２の充電電圧を収めるようにする。
【００３２】
具体的には、図２、３に示すように、まず、いずれかのリチウムイオンセル２の電圧がバイパス電圧ＶＢよりも高い場合には、そのセル２のバイパス回路３をオンしてバイパス放電させる（ステップＳ１）。このとき、既にバイパス回路３がオンの場合には、オン状態を維持する。ここで、バイパス電圧ＶＢとは、各セル２間で生じる充電電圧のバラツキを解消するために、バイパス放電を行う基準の電圧であり、例えば、次のように算出される。
ＶＢ＝平均充電電圧ＶＡ＋１０ｍＶ
【００３３】
次に、上記のようにしてバイパス放電中であったリチウムイオンセル２の電圧が、平均充電電圧ＶＡ以下になった場合には、このセル２のバイパス回路３をオフしてバイパス放電を停止させる（ステップＳ２）。
【００３４】
続いて、充電電圧が許容下限電圧Ｖｍｉｎ（第１の所定電圧）よりも低いリチウムイオンセル２が存在するか否かを判断する（ステップＳ３）。ここで、許容下限電圧Ｖｍｉｎとは、適正な充電電圧範囲の下限値であり、次のように算出される。
Ｖｍｉｎ＝平均充電電圧ＶＡ−２０ｍＶ
【００３５】
そして、許容下限電圧Ｖｍｉｎよりも低いリチウムイオンセル２が存在しない場合には、メモリ上のタイマをリセットし（ステップＳ４）、存在する場合には、タイマをインクリメント・加算する（ステップＳ５）。ここで、この実施の形態では、許容下限電圧Ｖｍｉｎよりも低いセル２ごとにタイマを設け、セル２ごとにタイマをカウントするものとする。つまり、同一のセル２で低電圧状態が継続しているか否かを監視する。そして、タイマが予め設定された第１の所定時間Ｔ１未満の場合（ステップＳ６で「Ｎ」の場合）には、ステップＳ１に戻って同様の処理を繰り返し、タイマが第１の所定時間Ｔ１以上の場合（ステップＳ６で「Ｙ」の場合）には、ステップＳ７以降の処理に移る。ここで、第１の所定時間Ｔ１は、ステップＳ１およびＳ２によるバイパス放電をしている現状をこれ以上継続しても、低電圧のセル２の電圧が上昇しないと判断される時間、あるいは後述するステップＳ７のバイパス放電の効果が十分に得られる時間であり、セル２の特性、容量などによって設定される。例えば、２４時間と設定される。
【００３６】
ステップＳ７以降の処理では、まず、特定セル２（一部のセル２）以外のすべてのリチウムイオンセル２に対して、バイパス回路３をオンしてバイパス放電させる（ステップＳ７）。ここで、特定セル２とは、タイマが第１の所定時間Ｔ１以上経過したセル２、つまり、許容下限電圧Ｖｍｉｎよりも低い状態が第１の所定時間Ｔ１以上継続しているセル２である。次に、バイパス放電中のリチウムイオンセル２の電圧が、平均充電電圧ＶＡ（第３の所定電圧）未満になった場合には、このセル２のバイパス回路３をオフしてバイパス放電を停止させる（ステップＳ８）。
【００３７】
続いて、所定時間（処理サイクル時間）後に、特定セル２の充電電圧が平均充電電圧ＶＡ（第２の所定電圧）以上であるか否かを判断する（ステップＳ９）。このように、許容下限電圧Ｖｍｉｎよりも高い平均充電電圧ＶＡで判断しているのは、許容下限電圧Ｖｍｉｎで判断すると、早期にバイパス放電が終了し（後述するようにステップＳ１に戻り）、再びステップＳ７以降の処理を繰り返す頻度が多くなるためである。つまり、電圧が低いセル２の充電促進を確実、十分に行うためである。また、この実施の形態では、平均充電電圧ＶＡを第２の所定電圧としているが、その他の電圧、例えば、平均充電電圧ＶＡよりも１０ｍＶ低い電圧を第２の所定電圧としてもよい。
【００３８】
そして、特定セル２の充電電圧が平均充電電圧ＶＡ未満の場合には、このようなバイパス放電状態が第２の所定時間Ｔ２以上継続しているか否かを判断する（ステップＳ１０）。ここで、第２の所定時間Ｔ２は、ステップＳ７のバイパス放電を行っても低電圧のセル２の電圧が上昇しない場合に、セル２の内部異常やセル２間の接続異常などのおそれがあると推定される時間、あるいは過剰なバイパス放電を回避できる時間であり、セル２の特性、容量などによって設定される。例えば、１００時間と設定される。
【００３９】
そして、第２の所定時間Ｔ２を継続していない場合には、ステップＳ８に戻って同様の処理を繰り返し、継続している場合には、警報を出力するとともに全セル２のバイパス放電を停止させて（ステップＳ１１）、処理を終了する。ここで、警報の出力は、コントローラ６の警報ランプを点灯させたり、管理センタのコンピュータに通報したりすることで行う。
【００４０】
一方、特定セル２の充電電圧が平均充電電圧ＶＡ以上の場合（ステップＳ９で「Ｙ」の場合）には、バイパス放電中のすべてのセル２のバイパス回路３をオフしてバイパス放電を停止させる（ステップＳ１２）。そして、タイマをリセットし（ステップＳ１３）、ステップＳ１に戻って同様の処理を繰り返すものである。以上のような図２、３による制御は、充電中であることが前提であり、交流直流変換器１０１が停電して組電池２０が放電を開始した場合には、すべてのバイパス放電を停止して、制御を終了させる。
【００４１】
次に、このような構成の充電制御システム１の作用や、この充電制御システム１による充電制御方法などについて説明する。ここで、組電池２０中の１つのセル２を新たなセル（以下、「交換セル」という）２と交換した場合であって、交換セル２の電圧・充電状態（ＳＯＣ：Ｓｔａｔｅ  Ｏｆ  Ｃｈａｒｇｅ）が低い場合を例にして説明する。
【００４２】
まず、商用電源１００からの電力がリチウムイオン組電池２０に供給され、電圧計４によって各リチウムイオンセル２の電圧が常時監視され、その計測結果がリアルタイムにコントローラ６に送信される。そして、いずれかのセル２の充電電圧がバイパス電圧ＶＢよりも高い場合には、そのセル２がバイパス放電される（ステップＳ１）。
【００４３】
一方、交換セル２の充電電圧が許容下限電圧Ｖｍｉｎよりも低いと（ステップＳ３で「Ｙ」）、タイマがインクリメントされて（ステップＳ５）、ステップＳ１に戻る。そして、所定時間（処理サイクル時間）後に交換セル２の電圧が許容下限電圧Ｖｍｉｎ以上になった場合には、タイマがリセットされる（ステップＳ４）。一方、交換セル２の電圧がまだ許容下限電圧Ｖｍｉｎ未満の場合には、タイマがインクリメントされ（ステップＳ５）、このような状態が第１の所定時間Ｔ１以上継続すると（ステップＳ６で「Ｙ」）、この交換セル２（特定セル２）以外のすべてのリチウムイオンセル２に対してバイパス放電（多数バイパス放電）が行われる（ステップＳ７）。
【００４４】
続いて、交換セル２の充電電圧が平均充電電圧ＶＡよりも低く（ステップＳ９で「Ｎ」）、多数バイパス放電の状態が第２の所定時間Ｔ２以上継続していない場合（ステップＳ１０で「Ｎ」）には、多数バイパス放電が継続される。一方、交換セル２の充電電圧が平均充電電圧ＶＡ以上になると（ステップＳ９で「Ｙ」）、すべてのセル２のバイパス放電が停止され（ステップＳ１２）、通常のモード（ステップＳ１）に戻って、同様の処理が行われる。一方、多数バイパス放電を第２の所定時間Ｔ２以上継続しても、交換セル２の充電電圧が平均充電電圧ＶＡよりも低い場合（ステップＳ１０で「Ｙ」の場合）、つまり交換セル２の電圧が上昇しない場合には、上記のような警報が出力されるとともに、全セル２のバイパス放電が停止される（ステップＳ１１）ものである。
【００４５】
以上のように、この充電制御システム１および充電制御方法によれば、一部のセル２（特定セル２）の充電電圧が許容下限電圧Ｖｍｉｎよりも低い状態（非適正充電状態）が第１の所定時間Ｔ１以上継続すると、特定セル２以外のすべてのセル２がバイパス放電される。すなわち、バイパス電圧ＶＢよりも充電電圧が高いセル２の有無にかかわらず、特定セル２以外のセル２（必ず存在するセル２）がバイパス放電されるため、充電電圧が低い特定セル２の充電を促進することが可能となる。
【００４６】
しかも、特定セル２以外のすべてのセル２がバイパス放電されるため、大多数のセル２がバイパス放電し、充電電圧が低い特定セル２の充電をより促進することが可能となる。この結果、リチウムイオン組電池２０全体をより適正に充電することが可能となり、組電池２０全体の放電容量が適正となって、設計通りの所定の放電時間を確保することができる。
【００４７】
また、特定セル２の非適正充電状態が第１の所定時間Ｔ１継続した場合に、特定セル２以外のセル２に対するバイパス放電が行われる。すなわち、非適正充電状態が一時的に生じた場合には、バイパス放電が行われないため、不必要なバイパス放電が回避され、充電電圧が適正なセル２の充電状態を適正に維持することが可能となる。また、非適正充電状態が第１の所定時間Ｔ１継続した時点でバイパス放電を行うことで、非適正充電状態が長時間継続することによるセル２の過充電状態や低充電状態などを回避して、組電池２０全体を適正かつ早期に充電することが可能となる。
【００４８】
一方、特定セル２以外のすべてのセル２を所定時間バイパス放電させても、特定セル２の充電電圧が所定電圧以上に達しない場合には、警報が出力されるため、迅速かつ適正な対応が可能となる。すなわち、このような場合には、特定セル２に内部短絡や接続不良などの異常が存在するおそれがあり、警報が出力されることで、迅速かつ適正な充電停止やセル交換などが可能となるとともに、他の正常なセル２に対する不必要な放電などを回避することが可能となる。さらに、バイパス放電中のセル２の電圧が、平均充電電圧ＶＡ未満になった場合には、このセル２のバイパス放電が停止されるため、セル２が過放電するのを防止して、組電池２０全体の充電状態を適正に維持することが可能となる。
【００４９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、セル２ごとにタイマをカウントしているため、複数のセル２の電圧が低い場合には、それぞれのセル２で第１の所定時間Ｔ１が経過した時点で、多数バイパス放電が行われるが、多数バイパス放電を行う時点ですべてのセル２のタイマをクリアにしてもよい。これにより、頻繁に多数バイパス放電が行われるのを防止して、組電池２０全体の電圧安定化を図ることが可能となる。
【００５０】
さらに、多数バイパス放電を行う時点で充電電圧が許容下限電圧Ｖｍｉｎよりも低いセル２も特定セル２とし、多数バイパス放電の対象外としてもよい。
【００５１】
また、セル２ごとにタイマを設けずに、１つのタイマでカウントしてもよい。すなわち、許容下限電圧Ｖｍｉｎよりも低いセル２が発生した時点でカウントを開始し、このセル２の電圧が許容下限電圧Ｖｍｉｎ以上となっても他のセル２の電圧が許容下限電圧Ｖｍｉｎよりも低い場合には、カウントを継続する。このように、すべてのセル２が許容下限電圧Ｖｍｉｎ以上になるまで同じカウントを継続してもよい。これにより、第１の所定時間Ｔ１に達する時間が早くなり、複数のセル２で電圧が低かったり、１つのセル２で電圧が頻繁に低くなる（安定しない）場合などであっても、早期に多数バイパス放電を行って、電圧が低いセル２の充電促進を早期に行うことが可能となる。
【００５２】
また、上記の実施の形態では、多数バイパス放電を所定時間行っても低電圧のセル２の電圧が上昇しない場合に、警報出力とバイパス放電の停止を行っているが、強制的に組電池２０の充電を停止したり、セル２の温度上昇などの異常が検出されない限り、永続的に多数バイパス放電を行うようにしてもよい。また、ステップＳ８でバイパス放電を停止した後に、再びセル２の電圧が平均充電電圧ＶＡ以上になった場合に、再度バイパス放電を開始するようにしてもよい。
【００５３】
上記の実施の形態では、バイパス回路３を、放電用抵抗３１と放電スイッチ３２により構成したが、これに限らず、コントローラ６からの指令により所定の電流をバイパスできる回路であれば用いることができる。
【００５４】
一方、１組のリチウムイオン組電池２０を有する場合について説明したが、組電池２０を複数接続した場合にも適用することができる。この場合、上記のような充電制御システム１を組電池２０ごとに配設する。また、リチウムイオンセル２に限らず、直列セル間の充電状態バラツキを解消するために、広く二次電池一般に適用することができる。さらに、充電制御システム１を直流電源システムに適用した場合について説明したが、無停電電源装置（ＵＰＳ：Ｕｎｉｎｔｅｒｒｕｐｔｉｂｌｅ  Ｐｏｗｅｒ  Ｓｕｐｐｌｙ）や自動車用蓄電池などにも適用することができ、かつ、フロート充電以外にも適用することができる。すなわち、一部のセル２の充電電圧が低い状態が所定時間継続するすべてのケースに、適用することができる。
【符号の説明】
【００５５】
１        リチウムイオン組電池の充電制御システム
２        リチウムイオンセル（リチウムイオン二次電池）
２０      リチウムイオン組電池
３        バイパス回路（個別放電手段）
４        電圧計（監視手段）
５        主スイッチ
６        コントローラ（制御手段）
７        バイパスダイオード
【図１】
2013115912.tif 000003
【図２】
2013115912.tif 000004
【図３】
2013115912.tif 000005